(57)【要約】【課題】表示部面内における輝度の勾配を抑制し、均一な画像表示を実現することができる表示装置を提供すること。【解決手段】本発明の表示装置は、第１電極及び第２電極により電圧が供給される複数の画素、第１電極に接続された第１外部接続部及び第２電極に接続された第２外部接続部を有し、第１外部接続部及び２外部接続部を介して外部電源から電圧が供給される表示パネルと、第１の内部配線に接続された第３外部接続部及び第２の内部配線に接続された第４外部接続部を有し、第３外部接続部及び４外部接続部を介して外部電源から電圧が供給されるタッチパネルと、を有しており、表示パネルは、表示パネルの第１外部接続部及び第２外部接続部が設けられた側の他端側に、第１電極とタッチパネルの第１内部配線とを電気的に接続する第１接続部及び第２電極とタッチパネルの第２内部配線とを電気的に接続する第２接続部を有する。【選択図】図１
2015114413.tif 000002
【特許請求の範囲】
【請求項１】
マトリクス状に配置され、第１電極及び第２電極により電圧が供給される複数の画素、前記第１電極に接続された第１外部接続部及び前記第２電極に接続された第２外部接続部を有し、前記第１外部接続部及び前記第２外部接続部を介して外部電源から電圧が供給される表示パネルと、
第１の内部配線に接続された第３外部接続部及び第２の内部配線に接続された第４外部接続部を有し、前記第３外部接続部及び前記４外部接続部を介して外部電源から電圧が供給されるタッチパネルと、
を有する表示装置であって、
前記表示パネルは、前記表示パネルの前記第１外部接続部及び前記第２外部接続部が設けられた側の他端側に、前記第１電極と前記タッチパネルの第１内部配線とを電気的に接続する第１接続部及び前記第２電極と前記タッチパネルの第２内部配線とを電気的に接続する第２接続部を有することを特徴とする表示装置。
【請求項２】
前記第１電極及び前記第２電極の一方は、前記複数の画素の共通電極であることを特徴とする請求項１に記載の表示装置。
【請求項３】
前記複数の画素のそれぞれは有機ＥＬ素子を含むことを特徴とする請求項１又は２に記載の表示装置。
【請求項４】
前記タッチパネルの第１内部配線は、前記タッチパネルの外周に沿う形状で配置されていることを特徴とする請求項１乃至３のいずれか一に記載の表示装置。
【請求項５】
前記タッチパネルには、ガードリングが配置され、前記ガードリングは前記第１内部配線に接続されていることを特徴とする請求項１乃至４のいずれか一に記載の表示装置。
【請求項６】
前記ガードリングは、前記第１電極又は前記第２電極に接続されていることを特徴とする請求項５に記載の表示装置。
【発明の詳細な説明】
【技術分野】
【０００１】
本発明は、表示装置に関する。特にタッチパネルを有する表示装置に関する。
【背景技術】
【０００２】
近年、操作性を向上させるために、タッチパネルを表示パネル上に配置した表示装置を備えた携帯型端末やスマートフォンが人気を博している。表示装置としては、液晶表示装置だけでなく、有機ＥＬ（Ｅｌｅｃｔｒｏ−Ｌｕｍｉｎｅｓｃｅｎｃｅ）により表示を行う有機ＥＬ表示装置の研究が盛んになってきている。
【先行技術文献】
【特許文献】
【０００３】
【特許文献１】特開２０１０−２０３１５号公報
【発明の概要】
【発明が解決しようとする課題】
【０００４】
有機ＥＬ表示装置においては、アノード及びカソードの給電をＴＦＴ基板側のみに設けることが一般的であり、アノード及びカソードの給電位置次第で表示部面内におけるアノード及びカソードの電位勾配が生じてしまう可能性がある。表示部面内におけるアノード及びカソードの電位勾配が生じてしまうと、表示部面内における有機ＥＬの輝度の勾配が生じてしまうことになり、均一な画像表示を実現することができないという問題があった。
【０００５】
そこで、本発明は、上述した問題を鑑みてなされたものであり、アノード及びカソードの電位勾配を抑制し、表示部面内における有機ＥＬの輝度の勾配を抑制し、均一な画像表示を実現することができる表示装置を提供するものである。
【課題を解決するための手段】
【０００６】
一実施形態に係る本発明の表示装置は、マトリクス状に配置され、第１電極及び第２電極により電圧が供給される複数の画素、前記第１電極に接続された第１外部接続部及び前記第２電極に接続された第２外部接続部を有し、前記第１外部接続部及び前記２外部接続部を介して外部電源から電圧が供給される表示パネルと、第１の内部配線に接続された第３外部接続部及び第２の内部配線に接続された第４外部接続部を有し、前記第３外部接続部及び前記４外部接続部を介して外部電源から電圧が供給されるタッチパネルと、を有する表示装置であって、前記表示パネルは、前記表示パネルの前記第１外部接続部及び前記第２外部接続部が設けられた側の他端側に、前記第１電極と前記タッチパネルの第１内部配線とを電気的に接続する第１接続部及び前記第２電極と前記タッチパネルの第２内部配線とを電気的に接続する第２接続部を有する。
【０００７】
前記第１電極及び前記第２電極の一方は、前記複数の画素の共通電極であるようにしてもよい。
【０００８】
前記複数の画素のそれぞれは有機ＥＬ素子を含むようにしてもよい。
【０００９】
前記タッチパネルの第１内部配線は、前記タッチパネルの外周に沿う形状で配置されるようにしてもよい。
【００１０】
前記タッチパネルには、ガードリングが配置され、前記ガードリングは前記第１内部配線に接続されているようにしてもよい。
【００１１】
前記ガードリングは、前記第１電極又は前記第２電極に接続されているようにしてもよい。
【図面の簡単な説明】
【００１２】
【図１】一実施形態に係る本発明の表示装置１０の表示パネル１００の概略構成図である。
【図２】一実施形態に係る本発明の表示装置１０の表示パネル１００の概略構成図である。
【図３】一実施形態に係る本発明の表示装置１０の表示パネル１００に配置された画素１１０の概略構成図である。
【図４】一実施形態に係る本発明の表示装置１０のタッチパネル２００の概略構成図である。
【図５】一実施形態に係る本発明の表示パネル１００の第１接続部１０６ｂとタッチパネル２００の第３接続部２０６ｂとが電気的に接続されている部分の断面図である。
【図６】一本実施形態に係る本発明の表示装置１００の側面図である。
【図７】一本実施形態に係る本発明の表示装置１００の側面図である。
【発明を実施するための形態】
【００１３】
以下、図面を参照して、本発明の表示装置を詳細に説明する。なお、本発明の表示装置は以下の実施形態に限定されることはなく、種々の変形を行ない実施することが可能である。また、全ての実施形態において、同じ構成要素には同一符号を付して説明する。
【００１４】
（第１実施形態）
図１は、本実施形態に係る本発明の表示装置１０の概略構成図である。本実施形態に係る本発明の表示装置１０は、表示パネル１００、タッチパネル（タッチパネルセンサー）２００及びカバーレンズ３００を備えている。なお、カバーレンズ３００は、カバーレンズを有するタッチパネル２００（カバーレンズ上に設けられたタッチパネル）を用いることで省略することができる。図１に示すとおり、表示パネル１００、タッチパネル２００及びカバーレンズ３００は重ねて配置され、本実施形態に係る本発明の表示装置１０を構成している。
【００１５】
図２を参照する。図２は、表示パネル１００の概略構成図である。表示パネル１００は、ＦＰＣ１０２、ＴＦＴ基板１０４、第１外部接続部１０６、第１外部接続部１０６に接続された第１配線１０６ａ、第２外部接続部１０８、及び第２外部接続部１０８に接続された第２配線１０８ａを備えている。また、第１配線１０６ａ及び第２配線１０８ａは、それぞれ、第１接続部１０６ｂ及び第２接続部１０８ｂに接続されている。本実施形態においては、第１外部接続部１０６及び第２外部接続部１０８は、ＦＰＣ１０２の配線であり、外部から電圧が供給される。
【００１６】
基板１０４上において、第１接続部１０６ｂ及び第２接続部１０８ｂは、第１外部接続部１０６及び第２外部接続部１０８が配置される側と反対側の端部に配置される。なお、本実施形態においては、第１接続部１０６ｃ及び第２接続部１０８ｃは、表示パネル１００の一端部に、それぞれ２つずつ設けられているが、これに限定されるわけではない。第１接続部１０６ｃ及び第２接続部１０８ｃが、表示パネル１００の一端部に、それぞれ１つずつ設けられるようにしてもよい。また、本実施形態においては、表示パネル１００は有機ＥＬ表示パネルを用いる例について説明するが、液晶表示パネル等他の表示パネルを用いてもよい。
【００１７】
ここで、図３に、表示パネル１００に配置された複数の画素１１０の一つを例にとって、その構成を説明する。図３に示すように、表示パネル１００は画素１１０を有しており、複数の画素１１０が基板１０４上にマトリクス状に配置されている。本実施形態においては、表示パネル１００は有機ＥＬ表示パネルを用いているので、各画素１１０は、ＴＦＴ１１０ａ、ＴＦＴ１１０ｂ、有機ＥＬ素子１１０ｃ（アノード１１０ｃ１、有機ＥＬ材料１１０ｃ２、カソードｃ２）及び容量１１０ｄを有している。有機ＥＬ素子１１０ｃのアノード１１０ｃには第２配線１０８ａが接続されており、カソード１１０ｃ３には第１配線１０６ａが接続されている。第１配線１０６ａ及び第２配線１０８ａは、ＦＰＣ１０２に接続されており、これら第１配線１０６ａ及び第２配線１０８ａには、外部電源から電圧が供給される。また、図３に示すとおり、ＦＰＣ１０２に接続された信号線１１２及びゲート線１１４から各画素に信号が供給される。
【００１８】
図４には、本実施形態のタッチパネル２００の概略構成図が示されている。タッチパネル２００は、基板２０１、タッチパネル用ＦＰＣ２０２、第３外部接続部２０６、第３外部接続部２０６に接続された第１内部配線２０６ａ、第４外部接続部２０８、第４外部接続部１０８に接続された第２内部配線２０８ａ及びガードリング２１０を備えている。また、第１内部配線１０６ａ及び第２内部配線１０８ａは、それぞれ、第３接続部２０６ｃ及び第４接続部２０８ｃに接続されている。また、第１内部配線２０６ａ及び第２内部配線２０８ａには、第３外部接続部２０６及び第４外部接続部２０８を介して外部から電圧が供給される。
【００１９】
なお、本実施形態においては、第３接続部２０６ｃ及び第４接続部２０８ｃは、タッチパネル２００の一端部に、それぞれ２つずつ設けられているが、これに限定されるわけではなく、タッチパネル２００の一端部に、それぞれ１つずつ設けられるようにしてもよい。ガードリング２１０は、ＥＳＤ（静電気放電）によるタッチパネル２１０の破壊対策のために配置されるものであって、発生した静電気をガードリング２１０を通して外部へ放電させるために用いられるタッチパネル２００には、タッチパネル用ＦＰＣ２０２を介して第１内部配線２０６ａ及び第２内部配線２０８ａに電圧が供給される。
【００２０】
本実施形態においては、表示パネル１００の第１接続部１０６ｂとタッチパネル２００の第３接続部２０６ｂとが電気的に接続されており、また、表示パネル１００の第２接続部１０８ｂとタッチパネル２００の第４接続部２０８ｂとが電気的に接続されている。図５には、表示パネル１００の第１接続部１０６ｂとタッチパネル２００の第３接続部２０６ｂとが電気的に接続されている部分の断面図を示す。第１接続部１０６ｂとタッチパネル２００の第３接続部２０６ｂとが導電粒子４００によって電気的に接続されている。なお、１１６は絶縁膜、１１８は封止膜、２１２は絶縁膜である。表示パネル１００の第２接続部１０８ｂとタッチパネル２００の第４接続部２０８ｂとも同様に導電粒子によって電気的に接続されている。このような構成をとることにより、表示パネル１００の第１配線２０６ａ及び第２配線２０８ａにタッチパネル２００の電源電圧が供給されることになり、表示パネル１００の第１の配線２０６ａ及び第２配線２０８を低抵抗化することができ、アノード及びカソードの電位勾配を抑制し、表示部面内における有機ＥＬの輝度の勾配を抑制し、均一な画像表示を実現することができる。
【００２１】
また、タッチパネル２００のガードリング２１０にも絶縁層の特定箇所にパッド開口を設けて、数μｍの導電粒子にて上下電極を接続するようにしてもよい。こうすることによって、表示パネル１００で発生するＥＳＤをタッチパネル２００のガードリング２１０を介して外部へ放電させることができ、静電気耐性の向上が実現できる。
【００２２】
また、図３に示すように、タッチパネル２００上で少なくとも一方の配線電極（本実施形態においては第１内部配線２０６ａ）を外周に配置するようにしてもよい。そして、この第１内部配線２０６ａと表示パネル１００の第１配線１０６ａと導電粒子４００によって接続することで、静電気により発生する電流の経路をタッチパネル２００と表示パネル１００とで分散させることができ、これより、静電気耐性の向上が実現できる。
【００２３】
図６には、本実施形態に係る本発明の表示装置１００の側面図を示す。図６に示すとおり、表示パネル２００とタッチパネル３００とが重ねて配置されていることがわかる。
【００２４】
また、図７には、本実施形態に係る本発明の表示装置１００の別の例の側面図を示す。カバーレンズ３００は、カバーレンズを有するタッチパネル４００（カバーレンズ上に設けられたタッチパネル）を用いることで省略することができる。図７に示すとおり、表示パネル２００とタッチパネル４００とが重ねて配置されていることがわかる。
【符号の説明】
【００２５】
１０  表示装置
１００  表示パネル
２００  タッチパネル
３００  カバーレンズ
【図１】
2015114413.tif 000003
【図２】
2015114413.tif 000004
【図３】
2015114413.tif 000005
【図４】
2015114413.tif 000006
【図５】
2015114413.tif 000007
【図６】
2015114413.tif 000008
【図７】
2015114413.tif 000009